(57)【要約】【課題】地下海水を熱源と水質浄化に利用する半閉鎖循環式水槽を用いて、施設設備設置のイニシャルコスト、及び施設設備運転のランニングコストを大幅に低減することができる魚介類の養殖システム、魚介類の養殖施設、及び魚介類の養殖方法を提供することを目的とする。【解決手段】養殖システム１は、床面２１２に断熱側溝２２が周設され閉空間が形成された養殖施設２、養殖施設２内に設置された水槽部３、地下恒温層Ｕから地下海水を揚水して水槽部３に対して供給する供給部４を備えている。水槽部３に供給された地下海水のうちオーバーフローした飼育水の一部が断熱側溝２２に放出される放出部３２を有している。放出部３２から放出された飼育水は、断熱側溝２２内を昇降撹拌する整流として流れる。このとき、外部からの熱は断熱側溝２２内の地下海水の昇降撹拌する整流により断熱されるため、養殖施設２は常に地下海水の温度に保たれる。【選択図】図１
2020039255.tif 000002
【特許請求の範囲】
【請求項１】
天面、床面、及び側壁により囲まれた閉空間からなる施設本体部と、
該施設本体部内の床面に設置された水槽部と、
地下から揚水された地下海水を、前記水槽部に飼育水として供給する供給部と、
前記側壁に沿って前記床面に周設され、内部に昇降撹拌する整流路が形成された断熱側溝と、
前記水槽部に供給された地下海水の一部を前記断熱側溝内に放出する放出部と、
前記断熱側溝の中途に形成され、前記断熱側溝内に放出された地下海水を前記断熱側溝内から外部に排水する排水部と、を備える
魚介類の養殖システム。
【請求項２】
前記整流路は、
前記断熱側溝内の長手方向に沿って所定の間隔を空けて上下方向に互い違いに配置された上側仕切り板、及び下側仕切り板を一組とする複数の仕切り板から構成されている
請求項１に記載の魚介類の養殖システム。
【請求項３】
前記仕切り板は、前記側壁のうち少なくとも一の側壁に沿った前記断熱側溝内において、
前記上側仕切り板は、下端が前記断熱側溝の底面と所定の隙間が形成され、上端が前記断熱側溝内を流れる前記地下海水の水面よりも上方に突出する高さ位置において前記断熱側溝内に固定されており、
前記下側仕切り板は、下端が前記断熱側溝の底面と当接され、上端が前記上側仕切り板の下端よりも上方に位置するとともに前記床面を超えない高さ位置において、隣り合う前記下側仕切り板の前記上端を結んだ直線が前記排水部に向かって所定の傾斜角で下降傾斜するように前記断熱側溝内に固定されている、
請求項２に記載の魚介類の養殖システム。
【請求項４】
前記断熱側溝の深さが略１ｍ以上である、
請求項１から請求項３の何れか一項に記載の魚介類の養殖システム。
【請求項５】
天面、床面、及び側壁により囲まれた閉空間からなる施設本体部と、
前記側壁に沿って前記床面に周設され、内部に昇降撹拌する整流路が形成された断熱側溝と、
前記断熱側溝の中途に形成され、前記断熱側溝内を流れる地下海水を前記断熱側溝内から外部に排水する排水部と、を備える
魚介類の養殖施設。
【請求項６】
地下から地下海水を揚水するステップと、
揚水した地下海水を、天面、床面、及び側壁により囲まれた閉空間からなる施設本体部内の前記床面に設置された水槽部に飼育水として供給するステップと、
前記水槽部に供給された地下海水の一部を、前記側壁に沿って前記床面に周設され、内部に昇降撹拌する整流路が形成された断熱側溝に放出するステップと、
前記断熱側溝内を昇降撹拌する整流として流れる地下海水により、外部からの熱を断熱するステップと、
前記断熱側溝内を流れる地下海水を、前記断熱側溝の中途に形成された排水部から排出するステップと、を備える
魚介類の養殖方法。
【発明の詳細な説明】
【技術分野】
【０００１】
本発明は、魚介類の養殖システム、魚介類の養殖施設、及び魚介類の養殖方法に関する。詳しくは、地下海水を熱源と水質浄化に利用する半閉鎖循環式水槽を用いて、施設設備の設置に際してのイニシャルコスト、及び施設設備運転のランニングコストを大幅に低減することができる魚介類の養殖システム、魚介類の養殖施設、及び魚介類の養殖方法に係るものである。
【背景技術】
【０００２】
近年、内海、外洋での漁業の不振から、海水で生息する魚介類を内海や陸上にて養殖するための養殖施設、及び養殖方法が提案され、一部では試験的な実施が進んでいる。例えば内海における魚介類の養殖では、海上の一角を網で囲い、その中に魚介類を入れて生育させる方法が多く採用されている。しかしながら、海上の一角を生育場とする方法では、赤潮の発生や汚れた海水による魚病の発生による魚介類の死亡、台風や高潮等の自然災害による網の破損による魚介類の逃亡等が原因となり、出荷できる魚介類の歩留まりが低くなってしまうという問題などを解決できないでいた。
【０００３】
そのため最近では、海に近接した陸上に飼育水槽を有する養殖施設を設置し、飼育水槽にて魚介類を養殖する陸上養殖が試みられている。この陸上養殖としては、従来より、海水などの自然水を飼育水槽に汲み上げ、飼育水槽の水はそのまま海などに排水する方式（かけ流し方式）が一般的であった。このように自然水を飼育水槽に汲み上げてそのまま排水するかけ流し方式の養殖では、養殖に伴って発生するアンモニアなどを処理することが不要であり、また水中に酸素を供給する必要も少ないので、設備コスト、及び設備のランニングコストを抑えることができるため施設設備設置のイニシャルコストを抑える点では有利である。
【０００４】
一方、かけ流し方式では、その排水中には餌の残りかすや魚介類の糞、粘性物質などの有機性排泄物が含まれている。従って、特に養殖施設が閉鎖性水域に面している場合には、海域や湖沼の汚染を引き起こし、近接する自然界の生体に著しい悪影響を与えるのみならず、飼育水として汲み上げている養殖施設自体も水質汚染の影響を受けて、魚病発生や生育不良等の被害を受けることが懸念される。また、かけ流し方式では、自然水を汲み上げて飼育水槽に供給するだけであるため、飼育水槽の水温は季節に依存しており、水温の低い冬期は魚介類の成長が鈍り、また水温が高い夏期は生理的に給餌効率が低下して成長が鈍るという問題がある。
【０００５】
そこで、かけ流し方式にかわる陸上養殖方法として、飼育水槽の水を定期的に浄化しながら循環させる閉鎖循環式水槽で魚介類を飼育するシステムが提案されている（例えば特許文献１、特許文献２参照）。このような閉鎖循環式水槽の養殖システムにおいては、飼育水の循環経路に水質を浄化する種々の浄化装置を設置することで、長期間にわたって飼育水を利用することを可能としている。
【０００６】
このように閉鎖循環式水槽を用いた陸上養殖システムにおいては、懸濁物質の除去に様々な固液分離装置を組み合わせることで、飼育水中に含まれるアンモニアや魚病の原因となる有毒物質を除去して水質を浄化することができる。そのため、一定量の飼育水を長期間にわたって利用することを可能とし、年間を通じて安定した水質で魚介類を飼育することが可能となっている。しかしながら、このような水質浄化のために用いる装置は、当然に施設設備設置のイニシャルコストが高くなる。
【先行技術文献】
【特許文献】
【０００７】
【特許文献１】特開平１１−２２５６１６号公報
【特許文献２】特開２０１８−１１６０７号公報
【発明の概要】
【発明が解決しようとする課題】
【０００８】
ところで、前記した閉鎖循環式水槽を用いた養殖システムにおいては、年間を通して飼育水の水温を魚介類の成長に適した水温（例えば２０℃前後）となるように制御することで、養殖する魚介類の成長を促すことが一般的に行われている。
【０００９】
具体的には、水温の低い冬期は、飼育水をヒーターで加温して水温を高めることによって魚介類の成長が鈍ることを防ぐとともに、水温の高い夏期は飼育水をクーラーで冷やして水温を低下させることによって給餌効率が低下することを防ぎ、魚介類の成長速度を促進することを可能としている。
【００１０】
しかしながら、飼育水を所定の温度に維持するためには、ヒーターとクーラーの設備が必要となるとともに、一年の多くの期間においてヒーターかクーラーを駆動させる必要がある。そのためヒーターとクーラーの導入に際して施設設備設置のイニシャルコスト、ヒーターとクーラーを駆動させるための施設設備運転のランニングコストが非常に高いという問題がある。さらに、１つの養殖施設内に、多数の水槽を設置して魚介類を養殖する場合には、大型のヒーターとクーラー、或いは複数のヒーターとクーラーを設置する必要があることから、コスト的に採算が合わないものとなっていた。
【００１１】
本発明は、以上の点に鑑みて創案されたものであり、地下海水を熱源と水質浄化に利用する半閉鎖循環式水槽を用いて、施設設備設置のイニシャルコスト、及び施設設備運転のランニングコストを大幅に低減することができる魚介類の養殖システム、及び魚介類の養殖方法に係るものである。
【課題を解決するための手段】
【００１２】
前記の目的を達成するために、本発明の魚介類の養殖システムは、天面、床面、及び側壁により囲まれた閉空間からなる施設本体部と、該施設本体部内の床面に設置された水槽部と、地下から揚水された地下海水を、前記水槽部に飼育水として供給する供給部と、前記側壁に沿って前記床面に周設され、内部に昇降撹拌する整流路が形成された断熱側溝と、前記水槽部に供給された飼育水の一部を前記断熱側溝内に放出する放出部と、前記断熱側溝の中途に形成され、前記断熱側溝内に放出された地下海水を前記断熱側溝内から外部に排水する排水部とを備える。
【００１３】
ここで、天面、床面、及び側壁により囲まれた閉空間からなる施設本体部を備えることにより、閉空間からなる施設本体部内に外部からの空気伝導熱を断熱しつつ、床面に周設された断熱側溝内に放出された地下海水の熱量が断熱側溝に供給されて側溝内外の地盤における熱伝導を遮断することにより、年間を通して一定の温度環境下のもとで魚介類の養殖を行うことが可能となる。
【００１４】
また、施設本体部内の床面に設置された水槽部を備えることにより、当該水槽部内において魚介類の養殖を行うことができる。
【００１５】
また、地下１０ｍから１５ｍ以深にある地下恒温層から揚水された年間を通して一定温度を示す地下海水を、水槽部に飼育水として供給する供給部を備えることにより、水槽部に対して恒温の地下海水を連続的に供給することができる。地下恒温層から揚水される地下海水の温度はその地域の年平均気温の１℃から３℃高い温度で年間を通じて一定であることから、地下海水温が魚介類の飼育に適している場合はヒーターやクーラーを用いることなく一年中魚介類の飼育が可能であるとともに、地層が自然のフィルターとなって地下海水に含まれる不純物を除去し、栄養成分（例えばミネラル）を多く含む高品質の飼育水を得ることができる。さらに、地下海水は、陸からの湧き水も添加されて塩分濃度が希釈されていることから魚介類の体内塩濃度調整機構への負担も少なく、寄生虫の感染からも完全に防がれているため、魚介類の飼育水として好適である。
【００１６】
また、施設本体部の側壁に沿って床面に周設された断熱側溝を備えることにより、後述する通り、当該断熱側溝内に水槽部からオーバーフローした地下海水を放出することができる。このとき、施設本体部の床面に周設されて断熱側溝が形成されているため、当該断熱側溝内を流れる地下海水によって、施設本体部外から施設本体部内に伝導する外部熱を遮断する効果を発揮する。
【００１７】
即ち、夏季には高温となる施設外部の地表面の熱（以下、「地表熱」という。）は、地中浅層を伝わって施設本体部内に侵入する。このとき、施設本体部の側壁に沿って、かつ床面に周設された断熱側溝内を流れる地下海水により、地中浅層から施設本体部内に侵入する地表熱を遮断して地表熱の施設本体部内への侵入を阻止することができる。そのため、施設本体部内の温度上昇が抑制され、クーラーを設置しなくても、施設内温度を地下恒温層と同期できる。また、冬期には低温となる施設外部の地表面の熱を遮断してヒーターの設置の必要性がなくなる。そのため、ヒーターとクーラーを用いることなく年間を通じて飼育水を常に一定の温度に保つことができる。
【００１８】
また、断熱側溝内に昇降撹拌する整流路が形成されていることにより、断熱側溝内に放出された地下海水は、断熱側溝内において滞留のない整流として流すことができる。即ち、地下海水が滞留のない整流として流れることにより、断熱側溝内を流れる地下海水の熱量を断熱側溝壁に効果的に伝導することができる。さらに、断熱側溝内を流れる地下海水の流速を所定に抑えることができるため、より効果的に地下海水の熱量を断熱側溝壁に伝導して外部熱の遮断効果を高めることができる。
【００１９】
また、水槽部に供給された飼育水の一部を断熱側溝内に放出する放出部を備えることにより、水槽部からオーバーフローした地下海水を断熱側溝内に放出することができる。このとき、前述した通り、飼育水は地下恒温層から地下海水を連続的に揚水して供給されるため、常に供給される地下海水量を上限として飼育水に利用可能であり、この飼育水の排水を断熱側溝内に放出することができる。
【００２０】
また、断熱側溝の中途に形成され、断熱側溝内に放出された地下海水を、断熱側溝内から施設外部に排水する排水部を備えることにより、外部熱から伝導された熱量は施設本体部内を循環することなく、施設本体部から外部に排水するとともに除去することができる。そのため、断熱側溝内を流れる地下海水の温度変化を抑え、地下海水の断熱効果を常に一定なものとすることができる。
【００２１】
即ち、前述した通り、常に一定量の地下海水は地下恒温層から連続的に揚水されて断熱側溝内と水槽部内に供給され、水槽部からの排水は断熱側溝内に合流した後に排出部から施設外に排出されることになる。飼育水としての地下海水の供給量と排出量は常にバランスされているため、飼育水の温度も、例え空気伝導による外部温度の影響を受けたとしても、地下海水からの供給量を調整することで常に一定の温度に保つことができる。
【００２２】
また、昇降撹拌する整流路は、断熱側溝内の長手方向に沿って所定の間隔を空けて上下方向に互い違いに配置された上側仕切り板、及び下側仕切り板を一組とする複数の仕切り板から構成されている場合には、別途の駆動手段等を必要とせず、断熱側溝内に上側仕切り板と下側仕切り板を上下方向に互い違いに取り付けるという簡素な方法により、滞留のない昇降撹拌する整流を作り出すことができる。
【００２３】
また、仕切り板は側壁のうち少なくとも一の側壁に沿った断熱側溝内において、上側仕切り板は、下端が断熱側溝の底面と所定の隙間が形成され、上端が断熱側溝内を流れる地下海水の水面よりも上方に突出するように断熱側溝内に固定されており、下側仕切り板は、下端が断熱側溝の底面と当接され、上端が上側仕切り板の下端よりも上方に位置するとともに床面を超えない高さ位置において、隣り合う下側仕切り板の上端を結んだ直線が床面の傾斜角と略同一となるように断熱側溝内に固定されている場合には、断熱側溝内に放出された地下海水のうち、下側仕切り板の上端からオーバーフローした地下海水は、上側仕切り板により深層方向への流れへと誘起される。深層方向に流れた地下海水は、上側仕切り板と断熱側溝の底面の隙間から再び水面に向かって誘起される。このように、断熱側溝内を流れる地下海水は、上側仕切り板と下側仕切り板により上下方向への撹拌が誘起されて滞留のない整流となることから、効率よく地下海水の熱量を断熱側溝壁に伝導し、外部から侵入する地表熱を遮断する効果を高めることができる。
【００２４】
また、断熱側溝の深さが略１ｍ以上である場合には、断熱側溝内を流れる地下海水による断熱効果をより高めることができる。前述の通り、地表熱は地中浅層を通じて施設本体部内に伝わる。このとき、発明者が検討した結果、断熱側溝の深さとして１ｍ以上とした場合に、断熱側溝を流れる地下海水によって、地中浅層を通じて伝わる地表熱の施設本体部内への断熱効果がより顕著となることが確認できた。なお、断熱側溝の深さとして１ｍ未満とした場合には、地表熱を完全に断熱することができず、地中浅層を通じて外部地表熱が施設本体部内に一定程度入り込むため、施設本体部内の温度が上昇し、飼育水の水温を一定に保つことができないことが確認できた。
【００２５】
前記の目的を達成するために、本発明の魚介類の養殖施設は、天面、床面、及び側壁により囲まれた閉空間からなる施設本体部と、前記側壁に沿って前記床面に周設され、内部に昇降撹拌する整流路が形成された断熱側溝と、前記断熱側溝の中途に形成され、前記断熱側溝内に放出された地下海水を前記断熱側溝内から外部に排水する排水部とを備える。
【００２６】
ここで、天面、床面、及び側壁により囲まれた閉空間からなる施設本体部を備えることにより、閉空間からなる施設本体部内に外部からの空気伝導熱を断熱しつつ、床面に周設された断熱側溝内に放出された地下海水の熱量が断熱側溝に供給されて側溝内外の地盤における熱伝導を遮断することにより、年間を通して一定の温度環境下のもとで魚介類の養殖を行うことが可能となる。
【００２７】
また、施設本体部の側壁に沿って床面に周設された断熱側溝を備えることにより、当該断熱側溝内に一定温度の地下海水を流すことができる。このとき、施設本体部の床面に周設されて断熱側溝が形成されているため、当該断熱側溝内を流れる地下海水および飼育水排水によって、施設本体部外の外部地表から施設本体部内に伝導する外部熱を遮断する効果を発揮する。
【００２８】
また、断熱側溝内に昇降撹拌する整流路が形成されていることにより、断熱側溝内に放出された地下海水は、断熱側溝内において滞留のない整流として流すことができる。即ち、地下海水が滞留のない整流として流れることにより、断熱側溝内を流れる地下海水の熱量を断熱側溝壁に効果的に伝導することができる。さらに、断熱側溝内を流れる地下海水の流速を所定に抑えることができるため、より効果的に地下海水の熱量を断熱側溝壁に伝導して外部熱の遮断効果を高めることができる。
【００２９】
また、断熱側溝の中途に形成され、断熱側溝内に放出された地下海水を、断熱側溝内から施設外部に排水する排水部を備えることにより、外部熱から伝導された熱量は施設本体部内を循環することなく、施設本体部から外部に排水するとともに除去することができる。そのため、断熱側溝内を流れる地下海水の温度変化を抑え、地下海水の断熱効果を常に一定なものとすることができる。
【００３０】
前記の目的を達成するために、本発明の魚介類の養殖方法は、地下恒温層から地下海水を揚水するステップと、揚水した地下海水を、天面、床面、及び側壁により囲まれた閉空間からなる施設本体部内の前記床面に設置された水槽部に飼育水として供給するステップと、前記水槽部に供給された飼育水の一部を、前記側壁に沿って前記床面に周設され、内部に昇降撹拌する整流路が形成された断熱側溝に放出するステップと、前記断熱側溝内を昇降撹拌する整流として流れる地下海水により、外部からの熱を断熱するステップと、前記断熱側溝内の地下海水を、前記断熱側溝の中途に形成された排水部から排出するステップとを備える。
【００３１】
ここで、地下恒温層から地下海水を揚水するステップを備えることにより、地下海水を飼育水として利用することができる。地下海水は、水温が魚介類の飼育に最適な温度に保たれているとともに、地層が自然のフィルターとなって地下海水に含まれる不純物を除去し、栄養成分（例えばミネラル）を多く含むことが知られている。さらに、地下海水として海水を利用する場合には、地層の濾過機能により塩分濃度が最適なものとなっている。従って、地下海水は、魚介類の飼育環境に適したものとなっている。
【００３２】
また、揚水した地下海水を、天面、床面、及び側壁により囲まれた閉空間からなる施設本体部内の床面に設置された水槽部に飼育水として供給するステップを備えることにより、魚介類の養殖を行う水槽部に対して地下海水を連続的に供給することができる。
【００３３】
また、水槽部に供給された地下海水の一部を、施設本体部の側壁に沿って床面に周設された断熱側溝に放出するステップを備えることにより、水槽部からオーバーフローした飼育水を断熱側溝内に放出することができる。このとき、前述した通り、地下海水は地下恒温層から連続的に供給されるため、常に供給される地下海水と同じ量までの飼育水を断熱側溝内に供給することができる。
【００３４】
また、断熱側溝内を昇降撹拌する整流として流れる地下海水にて外部からの熱を断熱するステップを備えることにより、断熱側溝内を流れる地下海水により、施設本体部内に侵入する外部熱を断熱して、施設本体部内の温度を一定に保つことができる。
【００３５】
このとき、地下海水は断熱側溝内を昇降撹拌する整流として流れるため、地下海水と外部熱の接触面積を高めることができる。さらに、断熱側溝内を流れる地下海水の流速を所定に抑えることができるため、外部熱と地下海水の接触時間を長くすることができる。従って、限られた飼育水によって、高い断熱効果を奏することができる。
【００３６】
また、断熱側溝内の地下海水を、断熱側溝の中途に形成された排水部から排出するステップを備えることにより、外部熱から熱を受け取り、高温となった地下海水が施設本体部内を循環することなく、施設本体部から外部に排水することができる。そのため、断熱側溝内を流れる水の温度上昇を抑え、水の断熱効果を常に一定なものとすることができる。
【発明の効果】
【００３７】
本発明に係る魚介類の養殖システム、魚介類の養殖施設、及び魚介類の養殖方法は、地下海水を熱源と水質浄化に利用する半閉鎖循環式水槽を用いて、施設設備設置のイニシャルコスト、及び施設設備運転のランニングコストを大幅に低減することができるものとなっている。
【図面の簡単な説明】
【００３８】
【図１】本発明の実施形態に係る養殖システムの全体構成図である。
【図２】本発明の実施形態に係る養殖システムにおいて、養殖施設の平面図である。
【図３】本発明の実施形態に係る養殖システムにおいて、養殖施設内に形成された断熱側溝の要部拡大図である。
【発明を実施するための形態】
【００３９】
以下、魚介類の養殖システム、魚介類の養殖施設、及び魚介類の養殖方法に関する本発明の実施の形態について、図面を参照しながら説明し、本発明の理解に供する。
【００４０】
まず、本発明の実施形態に係る養殖システム１の全体構成について、図１、及び図２を用いて説明する。養殖システム１は、魚介類の養殖を行う養殖施設２、養殖施設２内に設置された水槽部３、地下恒温層Ｕから地下海水を揚水して水槽部３に飼育水として供給する供給部４から主に構成されている。
【００４１】
養殖施設２は、天面２１１、床面２１２、及び側壁２１３により閉空間が形成された施設本体部２１、該施設本体部２１の床面２１２に形成された断熱側溝２２、断熱側溝２２内の水を施設本体部２１の外部に排水するための排水部２３をそれぞれ有している。
【００４２】
施設本体部２１の天面２１１、及び側壁２１３の外壁と内壁の間には、例えば図示しない断熱材が介挿されており、施設本体部２１の外部から侵入する外部熱を当該断熱材にて断熱できるものとなっている。断熱材は、例えばグラスウール等のように微細な繊維の間に空気を閉じ込める繊維径の断熱材、発砲スチロール等のように気泡内に空気を閉じ込める発泡系の断熱材等、公知の断熱材から適宜選択することができる。
【００４３】
ここで、必ずしも施設本体部２１の天面２１１、及び側壁２１３には断熱材を介挿させる必要はない。但し、断熱材を介挿させることにより、外部から施設本体部２１内に侵入する外部熱を断熱し、施設本体部２１内の温度の上昇を抑えることができるため、飼育水を魚介類の養殖に適した水温とすることができる。
【００４４】
断熱側溝２２は、施設本体部２１の上方に向けて開口する断面略コの字状であって、施設本体部２１の側壁２１３に近接し、かつ側壁２１３に沿うように床面２１２上に周設されている。断熱側溝２２は、本発明の実施形態においては、深さＤが略１ｍ、幅Ｗが略０．５ｍである。この断熱側溝２２には、後述する通り、水槽部３に供給された地下海水の一部（オーバーフローした飼育水）が断熱側溝２２内に放出され、放出された地下海水が断熱側溝２２内を一定の流速で流れるようになっている。なお、断熱側溝２２内の詳細な形状等については後述する。
【００４５】
ここで、必ずしも、断熱側溝２２の幅Ｗが略０．５ｍの断面略コの字状である必要はない。断熱側溝２２の幅Ｗは０．５ｍ以上の幅、或いは０．５ｍ未満の幅であってもよく、断面形状についても半円形状等のように他の形状であってもよい。
【００４６】
また、必ずしも、断熱側溝２２は、施設本体部２１の側壁２１３に近接し、かつ側壁２１３に沿うように床面２１２上に周設されている必要はない。例えば、側壁２１３の直下や、施設本体部２１の外側に位置するように形成されていてもよい。但し、断熱側溝２２が施設本体部２１の側壁２１３に近接し、かつ側壁２１３に沿うように床面２１２上に周設されていることにより、施行性が高まるとともに、施設本体部２１のあらゆる方向から侵入する外部熱を断熱させることがきるため、断熱側溝２２内を流れる地下海水による断熱効果がより一層高まる。なお、断熱側溝２２内を流れる地下海水による断熱効果については後述する。
【００４７】
排水部２３は、断熱側溝２２の中途に形成されており、断熱側溝２２を流れる地下海水を養殖施設２から外部に排水することが可能となっている。なお、水槽部３からオーバーフローして断熱側溝２２に放出された飼育水は、後述の通り水処理部３１で無害化されているため、排水部２３から排水される飼育水は、環境汚染物質を含まない無公害な排水となっている。
【００４８】
施設本体部２１の床面２１２は、排水部２３を最下点とするように、排水部２３に向かって下降傾斜された傾斜面が形成されている。傾斜角度は、特に限定されるものではないが、例えば１〜５度程度の傾斜角を有している。
【００４９】
ここで、必ずしも、床面２１２には傾斜面が形成されている必要はない。断熱側溝２２内の地下海水が排水部２３に向けて効率的に流れるように構成されていればよい。
【００５０】
水槽部３は、養殖施設２の床面２１２に設置されており、例えば容量が略１０トンのものが使用される。この水槽部３には、魚介類の飼育中に発生した懸濁物質等を処理して、処理水を再び水槽部３に循環させる水処理部３１、水槽部３からオーバーフローした飼育水を断熱側溝２２に放出するための放出部３２がそれぞれ接続されている。
【００５１】
ここで、必ずしも、水槽部３として、容量が略１０トンのものを使用する必要はない。水槽部３の容量は養殖規模に応じて適宜の大きさを選択することができる。
【００５２】
また、必ずしも、養殖施設２内に設置する水槽部３は一つである必要はない。養殖施設２内には複数の水槽部３を設置することができる。
【００５３】
水処理部３１は、主に沈殿槽３１１、泡沫分離装置３１２、硝化装置３１３、殺菌処理装置３１４、及び酸素溶入装置３１５から構成されている。即ち、水槽部３から水処理部３１に送出された飼育水は、まず、飼育水中の懸濁物質が沈殿槽３１１で除去される。その後、タンパク質や脂質などの微細な懸濁物質が泡沫分離装置３１２で除去され、さらに硝化装置３１３にて飼育魚が排泄するアンモニアが無害化される。硝化装置３１３で硝化処理された飼育水は殺菌処理装置３１４で殺菌処理され、最後に酸素溶入装置３１５で溶存酸素濃度が調整され、再び水槽部３に供給される。
【００５４】
これら水槽部３と水処理部３１の循環は、例えば１時間に６回程度、水槽部３内の飼育水の全量が入れ替わる程度に循環が繰り返されるが、これに限定されるものではなく、循環の頻度は適宜変更することが可能である。
【００５５】
ここで、必ずしも、水処理部３１として、沈殿槽３１１、泡沫分離装置３１２、硝化装置３１３、殺菌処理装置３１４、及び酸素溶入装置３１５から構成されている必要はない。水処理部３１の構成としては公知のものから適宜選択することができる。
【００５６】
また、必ずしも、水処理部３１は水槽部３と別体で設置されている必要なく、水槽部３内に水槽部３と一体的に設置されていてもよい。
【００５７】
放出部３２は、水槽部３からオーバーフローした飼育水を断熱側溝２２に向けて放出するためものであり、水槽部３の側面の一部に形成された孔から断熱側溝２２に向けてドレイン用のホースが延出されている。即ち本発明においては、常に地下恒温層Ｕから一定量の地下海水が揚水され水槽部３に飼育水として供給されるため、供給される地下海水と同量の飼育水が放出部３２から放出されるようになっている。
【００５８】
供給部４は、海Ｓに面した沿岸の地下恒温層Ｕの深さ略１０ｍ以深の地下海水を取水するための取水装置４１、取水した地下海水を揚水して配送するためのポンプ４２、ポンプ４２で揚水された地下海水を水槽部３、及び断熱側溝２２まで配送するための循環路４３から構成されている。ポンプ４２は、例えば本発明の実施形態においては、毎分略４００リットルの地下海水を揚水して、水槽部３に連続的に供給することが可能となっている。
【００５９】
ここで、必ずしも、地下海水は地下恒温層Ｕの深さ略１０ｍ以深の地下海水を揚水する必要はない。但し、年間通して魚介類の飼育に適した水温（略１８℃〜２０℃）の地下海水を取水するには、少なくとも地下略１０ｍ程度の深さから地下海水を揚水する必要がある。
【００６０】
また、必ずしも、地下海水の揚水量として、毎分略４００リットルである必要はない。必要とする飼育水の量やポンプ容量等に基づいて適宜設定することができる。
【００６１】
なお、本発明の実施形態においては、地下海水として海Ｓに面した地下海水（即ち海水）を利用するが、養殖する魚介類の種類に応じて淡水の地下海水を利用するようにしてもよい。
【００６２】
なお、地下恒温層Ｕから揚水される地下海水の温度は、その地域の年平均気温の１℃から３℃高い温度に等しく年間を通じて一定であることから、地下海水温が魚介類の飼育に適している場合はヒーターやクーラーを用いることなく一年中魚介類の飼育が可能であるとともに、地層が自然のフィルターとなって地下海水に含まれる不純物を除去し、栄養成分（例えばミネラル）を多く含む高品質の飼育水を得ることができる。さらに、地下海水は、陸からの湧き水も添加されて塩分濃度が希釈されていることから魚介類の体内塩濃度調整機構への負担も少なく、寄生虫の感染も防がれるため、魚介類の飼育水として好適である。
【００６３】
図３は、断熱側溝２２内の断面図であって、断熱側溝２２内の地下海水の流れを模式的に示した図である。図３に示すように、断熱側溝２２内には、断熱側溝２２の長手方向に沿って所定の間隔を空けて上下方向に互い違いに配置された上側仕切り板２２１、下側仕切り板２２２を一組とする仕切り板により昇降撹拌する整流路２２３（区画室ａ乃至ｅ）が形成されている。
【００６４】
上側仕切り板２２１は、上端２２１ａが断熱側溝２２内を流れる地下海水よりも上方に突出し、下端２２１ｂが断熱側溝２２の底面２２４と所定の隙間ｖが形成される高さ位置において、例えば断熱側溝２２の図示しない側壁に鉛直方向に形成された嵌合溝に、上側仕切り板２２１の左右両端が嵌合されるように固定されている。
【００６５】
また、下側仕切り板２２２は、下端２２２ｂが断熱側溝２２の底面２２４と隙間なく当接され、上端２２２ａが上側仕切り板２２１の下端２２１ｂよりも上方に位置するとともに、床面２１２を超えない高さ位置において、例えば断熱側溝２２の図示しない側壁に鉛直方向に形成された嵌合溝に、下側仕切り板２２２の左右両端が嵌合されるように固定されている。このとき、断熱側溝２２内の長手方向に配置された複数の下側仕切り板２２２の上端２２２ａを結んだ直線が、排水部２３に向かって下降傾斜する傾斜角を有するように構成されている。
【００６６】
以上のように構成された昇降撹拌する整流路２２３内での地下海水の流れについて説明する。断熱側溝２２内が地下海水で満たされている場合において、放出部３２からは常に水槽部３でオーバーフローした飼育水が放出される。また、オーバーフローする飼育水が不足する場合には、地下海水が供給部４から直接供給される。このとき、下側仕切り板２２２の上端２２２ａは、前述の通り、床面２１２の高さ位置よりも低い位置であって、かつ各下側仕切り板２２２の上端２２２ａを結ぶ線は、床面２１２と同じく、排水部２３に向かって下降傾斜する傾斜面を有するように、即ち階段状に配置されている。
【００６７】
そのため、図３の排水部２３から最も遠い区画室ａからオーバーフローした地下海水は、排水部２３側に位置する隣の区画室ｂに移動する。このとき、区画室ｂの水面上を移動した地下海水は、区画室ｂを形成する上側仕切り板２２１により、図中の矢印のように下方向（深層方向）へと誘起される。下方向へ誘起された地下海水は、隙間ｖを通過して、隣の区画室ｃに移動する。以後、同じように、各区画室を通過する際に、滞留のない整流が形成されることになる。
【００６８】
このように、断熱側溝２２内を流れる地下海水が上下方向に昇降撹拌する整流として流れるため、地下海水と外部熱の接触面積を高めることができる。さらに、断熱側溝２２内を流れる地下海水の流速が速くなり過ぎることを防止して所定に抑えることができるため、より効果的に地下海水の熱量を断熱側溝２２の側壁に伝導して外部熱の遮断効果を高めることができる。
【００６９】
次に、本発明の実施形態に係る養殖システムにおける断熱作用について図１に基づいて説明する。日射Ｌにより温められて温度が比較的高い地表熱Ｈは、その大半が地中浅層Ｇに伝わり、地中浅層Ｇを通じて施設本体部２１内に伝わる。このとき、施設本体部２１の側壁２１３に沿って、かつ床面２１２に周設された断熱側溝２２内を流れる地下海水により、地中浅層Ｇから施設本体部２１内に侵入する地表熱Ｈを効率的に断熱し、地表熱Ｈの施設本体部２１内への侵入を確実に阻止することができる。
【００７０】
ここで、養殖施設２の広さを１,０００ｍ２とし、略３０℃に暖まっている床面２１２を冷却して、水槽部３を含めた養殖施設２の全体の温度を２０℃まで冷やすことを検討する。なお、床面２１２は厚さ５０ｍｍのコンクリート製であり、揚水する地下海水は前述の通り略１８℃の水温で、揚水量は毎分略４００リットルとする。
【００７１】
以上のような条件の下において、まず、コンクリートの体積５０ｍ３を２０℃に冷やすには１５０,０００ｋｃａｌの熱を除く必要があり、そのためには１８℃の地下海水が１５０ｍ３だけ必要となる。そして毎分略４００リットルで揚水するとして、地下海水を１５０ｍ３だけ揚水するには、略６時間程度を要することになり、これで養殖施設２の全体の温度を常時２０℃に維持することが可能となる。
【００７２】
なお、以上の計算においては、コンクリート（密度＝２２５０ｋｇ／ｍ３、比熱＝０．２ｋｃａｌ／ｋｇ・℃、熱容量＝２２５０×０．２＝４５０ｋｃａｌ／ｍ３・℃）、空気（密度＝１．２３ｋｇ／ｍ３、比熱＝０．２４ｋｃａｌ／ｋｇ・℃、熱容量＝１．２３×０．２４＝０．２９５ｋｃａｌ／ｍ３・℃）、水（密度＝１０００ｋｇ／ｍ３、比熱＝１ｋｃａｌ／ｋｇ・℃、熱容量＝１０００×１＝１０００ｋｃａｌ／ｍ３・℃）、海水（密度＝１０２５ｋｇ／ｍ３、比熱＝０．９４ｋｃａｌ／ｋｇ・℃、熱容量＝１０２５×０．９４＝９６４ｋｃａｌ／ｍ３・℃）と定義した。
【００７３】
次に断熱側溝２２の深さＤと断熱効果の関係について説明する。発明者が検討をした結果では、断熱側溝２２の深さＤと断熱効果との間には、以下の表１に示す通り、ある程度の相関関係を確認することができた。
【００７４】
［表１］
2020039255.tif 000003
【００７５】
表１は、断熱側溝２２の幅Ｗを０．５ｍと固定し、断熱側溝２２の深さＤを０．６ｍ、０．８ｍ、及び１．０ｍ、１．２ｍとそれぞれ変化させた場合における養殖施設２内の６時間経過後の温度を測定した結果である。表１に示すように、深さＤが深いほど断熱側溝２２を流れる地下海水による断熱効果が高まり、深さＤとして１．０ｍ以上とすることにより、本発明の目的とする養殖施設２内の温度を２０℃まで下げることが確認された。なお、表１中の「外気温」とは養殖施設２の外部の温度、「内気温」とは養殖施設２の内部の温度をそれぞれ表す。
【００７６】
なお、前述の結果は、夏場のように外気温度が内気温度よりも高い場合の結果を示すが、例えば冬場のようによう外気温度が内気温度よりも低い場合においても同様である。即ち、冬場は地表面が冷やされるため、冷たい地表熱が地中浅層を伝わるが、その場合でも断熱側溝２２を流れる一定温度の地下海水により遮断されるため、養殖施設２内の温度は飼育水の温度に一定に保たれることになる。
【００７７】
次に、本発明の養殖方法について説明する。
【００７８】
［工程１：地下海水を揚水する工程］
まず、ポンプ４１により、地下恒温層Ｕから地下海水を揚水する。
【００７９】
［工程２：揚水した地下海水を水槽部に供給する工程］
工程１で揚水した地下海水を、施設本体部２１内に設置された水槽部３に飼育水として循環路４２を通じて連続的に供給する。なお、供給された飼育水は、前述の通り定期的に水処理部３１により水処理される。
【００８０】
［工程３：飼育水を断熱側溝に放出する工程］
供給部４から水槽部３に連続的に地下海水が供給され、水槽部３内の容量以上となった地下海水はオーバーフローして放出部３２から断熱側溝に放出される。
【００８１】
［工程４：外部からの熱を断熱する工程］
断熱側溝２２内に放出された地下海水、及び供給部４から直接供給された地下海水は、断熱側溝２２に形成された昇降撹拌する整流路２２３によりゆっくりと昇降撹拌する整流として流れる。このとき、養殖施設２外から地中浅層Ｇを伝わる地表熱は、断熱側溝２２内の飼育水により断熱される。
【００８２】
［工程５：飼育水を外部に排水する工程］
断熱側溝２２内を流れ、断熱に使用された地下海水は、断熱側溝２２の中途に形成された排水部２３より施設本体部２１の外に排水される。
【００８３】
以上、本発明の魚介類の養殖システム、魚介類の養殖施設、及び魚介類の養殖方法は地下海水を熱源と水質浄化に利用する半閉鎖循環式水槽を用いて、施設設備設置のイニシャルコスト、及び施設設備運転のランニングコストを大幅に低減することができるものとなっている。
【００８４】
１      養殖システム
２      養殖施設
２１      施設本体部
２１１      天面
２１２      床面
２１３      側壁
２２      断熱側溝
２２１      上側仕切り板
２２１ａ      上端
２２１ｂ      下端
２２２      下側仕切り板
２２２ａ      上端
２２２ｂ      下端
２２３      整流路
２２４      底部
２３      排水部
３      水槽部
３１      水処理部
３１１      沈殿槽
３１２      泡沫分離装置
３１３      硝化装置
３１４      殺菌処理装置
３１５      酸素溶入装置
３２      放出部
４      供給部
４１      取水装置
４２      ポンプ
４３      循環路
Ｇ      地中浅層
Ｕ      地下恒温層
【図１】
2020039255.tif 000004
【図２】
2020039255.tif 000005
【図３】
2020039255.tif 000006